(57)【要約】【課題】路面上の光のチラツキを防止して運転環境を向上させる。【解決手段】路面部１の左右両側方に側壁部２を立設し、左右両側壁部２間の上方が天空に向けて解放した状態で、左右両側壁部２間に亘って架設する側壁部支持梁３を、路面部１の上方で、且つ、路面部１の長手方向に所定間隔置きに多数並設してある道路で、隣接する側壁部支持梁３間を覆う透光性散乱板４を、隣接する側壁部支持梁３間毎に設けてある。【選択図】図１
2016056640.tif 000002
【特許請求の範囲】
【請求項１】
路面部の左右両側方に側壁部を立設し、
前記左右両側壁部間の上方が天空に向けて解放した状態で、
前記左右両側壁部間に亘って架設する側壁部支持梁を、前記路面部の上方で、且つ、前記路面部の長手方向に所定間隔置きに多数並設してある道路であって、
隣接する前記側壁部支持梁間を覆う透光性散乱板を、隣接する前記側壁部支持梁間毎に設けてある道路。
【請求項２】
前記透光性散乱板と前記側壁部支持梁との間、及び、隣接する前記透光性散乱板同士の間に、前記路面部の上方空間と天空とを連通する換気路を形成してある請求項１に記載の道路。
【請求項３】
前記透光性散乱板は、セラミック層を表面に形成した半透明板ガラスと網入りガラスとを、樹脂中間膜を介して一体化した合わせガラスから成るものである請求項１または２に記載の道路。
【請求項４】
前記透光性散乱板は、太陽の日射方向にその表面を略向けて傾斜させて設置してある請求項１〜３のいずれか１項に記載の道路。
【発明の詳細な説明】
【技術分野】
【０００１】
本発明は、路面部の左右両側方に側壁部を立設し、前記左右両側壁部間の上方が天空に向けて解放した状態で、前記左右両側壁部間に亘って架設する側壁部支持梁を、前記路面部の上方で、且つ、前記路面部の長手方向に所定間隔置きに多数並設してある道路に関する。
【背景技術】
【０００２】
従来、上記の道路においては、路面部の上方が天空に向けて解放した状態であるために、路面上に太陽光などの自然光が照射され、その自然光の照射調整などは行われていないのが現状である（周知技術で、適切な文献が見当たらない。）。
【発明の概要】
【発明が解決しようとする課題】
【０００３】
しかし、左右両側壁部間に亘って架設する側壁部支持梁が、路面部の上方で、且つ、前記路面部の長手方向に所定間隔置きに多数並設してあるために、路面部上に側壁部支持梁の影が多数形成され、路面を走行する車両では、太陽光に照射された箇所と側壁部支持梁の影とが交互に視覚に入り、光のチラツキ現象がドライバーにとっては、運転しづらいものとなっていた。
【０００４】
従って、本発明の目的は、上記問題点を解消し、路面上の光のチラツキを防止して運転環境を向上させるところにある。
【課題を解決するための手段】
【０００５】
本発明の第１の特徴構成は、路面部の左右両側方に側壁部を立設し、前記左右両側壁部間の上方が天空に向けて解放した状態で、前記左右両側壁部間に亘って架設する側壁部支持梁を、前記路面部の上方で、且つ、前記路面部の長手方向に所定間隔置きに多数並設してある道路であって、隣接する前記側壁部支持梁間を覆う透光性散乱板を、隣接する前記側壁部支持梁間毎に設けたところにある。
【０００６】
本発明の第１の特徴構成によれば、隣接する前記側壁部支持梁間を覆う透光性散乱板を、隣接する前記側壁部支持梁間毎に設けたことにより、隣接する側壁部支持梁間を通って路面に照射される自然光は、透光性散乱板により散乱し、側壁部支持梁によって形成される影にも自然光が照射される。
そのために、路面上に光の照射される明暗部が形成させにくくなる。
従って、路面上を車で走行しても、光のチラツキが抑制され、運転環境を良好に改善できる。
【０００７】
本発明の第２の特徴構成は、前記透光性散乱板と前記側壁部支持梁との間、及び、隣接する前記透光性散乱板同士の間に、前記路面部の上方空間と天空とを連通する換気路を形成したところにある。
【０００８】
本発明の第２の特徴構成によれば、本発明の第１の特徴構成による上述の作用効果を叶えることができるのに加えて、前記透光性散乱板と前記側壁部支持梁との間、及び、隣接する前記透光性散乱板同士の間に、前記路面部の上方空間と天空とを連通する換気路を形成するために、透光性散乱板により路面上方空間の換気が阻害されず、排気ガスなどの有害なガスが充満するのを防止できる。
従って、道路における運転環境をより良好にできる。
【０００９】
本発明の第３の特徴構成は、前記透光性散乱板は、セラミック層を表面に形成した半透明板ガラスと網入りガラスとを、樹脂中間膜を介して一体化した合わせガラスから成るものである。
【００１０】
本発明の第３の特徴構成によれば、前記透光性散乱板は、セラミック層を表面に形成した半透明板ガラスと網入りガラスとを、樹脂中間膜を介して一体化した合わせガラスから成るものであるために、セラミック層を表面に形成した半透明板ガラスにより自然光が散乱されて路面上に照射されると共に、樹脂中間膜を介して一体化した網入りガラスにより、透光性散乱板の破損が防止され、長期に亘って路面上の安全性を確保できる。
【００１１】
本発明の第４の特徴構成は、前記透光性散乱板は、太陽の日射方向にその表面を略向けて傾斜させて設置したところにある。
【００１２】
本発明の第４の特徴構成によれば、透光性散乱板を、太陽の日射方向にその表面を略向けて傾斜させて設置することにより、太陽光の透過光量を多くでき、しかも、入射光の散乱を効率よく行える。
従って、路面上の光のチラツキを防止しながら、より明るい道路環境を形成できる。
【図面の簡単な説明】
【００１３】
【図１】道路の縦断面図である。
【図２】本発明の透光性散乱板の一部拡大縦断面を含む全体側面図である。
【図３】道路の一部切欠き斜視図で、（ａ）は透光性散乱板を取付ける前の斜視図、（ｂ）は透光性散乱板を取付けた状態の斜視図である。
【図４】別実施形態の道路の縦断面図である。
【図５】別実施形態の道路の長手方向に沿った縦断面図である。
【発明を実施するための形態】
【００１４】
以下に本発明の実施の形態を図面に基づいて説明する。
図１に、例えば、半地下道のように、路面部１の左右両側方に側壁部２を立設し、前記左右両側壁部２間の上方が天空に向けて解放した状態で、前記左右両側壁部２間に亘って架設する側壁部支持梁３を、前記路面部１の上方で、且つ、前記路面部１の長手方向に所定間隔置きに多数並設してある道路を示してある。
上記道路においては、路面部１上に多数の側壁部支持梁３の影が形成され、路面を走行する車両では、太陽光に照射された箇所と側壁部支持梁３の影とが交互に視覚に入り、光のチラツキ現象がドライバーにとっては、運転しづらくなる状況が発生する（図３（ａ））。
そこで上記運転状況が悪化する危険性を、回避するために、隣接する側壁部支持梁３間を覆う透光性散乱板４を、隣接する側壁部支持梁３間毎に設けてある（図１、図２、図３（ｂ））。
【００１５】
前記透光性散乱板４を設置するに当たり、図１〜図３に示すように、前記路面部１の上方は、本来、左右両側壁部２間の上方が天空に向けて解放した状態で、通気性を備えており、その通気性を維持するためには、透光性散乱板４と側壁部支持梁３との間、及び、隣接する透光性散乱板４同士の間に、路面部１の上方空間と天空とを連通する換気路Ｒを形成するように配置して設置する。
つまり、図２、図３（ｂ）に示すように、前記透光性散乱板４は、太陽の日射方向にその表面を略向けて傾斜させて設置し、両端部を隣接する側壁部支持梁３夫々に亘って跨るように取り付け支持させてある。
従って、隣接して夫々が傾斜する透光性散乱板４間には、一方側の傾斜姿勢の透光性散乱板４の上端辺部とその上端辺部を支持する支持柱５の下端部との間に、路面部１と天空との間を換気する換気路Ｒが形成される（図２）。
【００１６】
前記透光性散乱板４は、図２に示すように、セラミック層９を表面に形成した半透明板ガラス６と網入りガラス７とを、樹脂中間膜８を介して一体化した合わせガラスから成るものを使用して、投下物に対する安全性や、積雪などに対する強度を確保してある。
【００１７】
前記側壁部支持梁３夫々の上面には、想定される降雨量に応じた排水のために、水勾配を形成してあって、図１、図３（ａ）、（ｂ）に、矢印Ａに示すように下方に流下して排水されるように形成してある。
【００１８】
〔別実施形態〕
以下に他の実施の形態を説明する。
〈１〉  前記透光性散乱板４の設置については、道路の延設方向と日射方向との関係によっては、例えば、道路が東西方向に沿っている場合に、図５に示すように、隣接するもの同士が、上下に換気路Ｒを形成する間隔をあけて、平面視でオーバーラップするように設置したり、図４に示すように、南北方向に傾斜するように（南側を低くなるように）隣接する側壁部支持梁３間に亘って設置することが考えられる。
〈２〉  前記透光性散乱板４は、光が透過してしかも散乱により側壁部支持梁３により形成される影の部分に透過光が散乱して明暗の差を減少できるものであれば、上記のセラミック層を表面に形成した半透明板ガラス６に限らず、ドット印刷したガラスや、細かい縞模様に印刷したガラス、乳濁ガラス、泡硝子などを使用しても良い。
【００１９】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２０】
１      路面部
２      側壁部
３      側壁部支持梁
４      透光性散乱板
６      半透明板ガラス
７      網入りガラス
８      樹脂中間膜
９      セラミック層
【図１】
2016056640.tif 000003
【図２】
2016056640.tif 000004
【図３】
2016056640.tif 000005
【図４】
2016056640.tif 000006
【図５】
2016056640.tif 000007